(57)【要約】【課題】容易且つ安全に鼻毛を処理することができる鼻毛処理具１を提供する。【解決手段】鼻毛処理具１に、鼻孔内へ挿入可能な大きさで一辺に刃２を有した刃体３と、刃２が延びる方向と略直角方向へ延出し先端が刃２よりも突出する第一保護部４と、複数の第一保護部４を刃２の延びる方向へ所定間隔で支持すると共に複数の第一保護部４と協働して刃体３の一方の面を受ける刃受部とを備え鼻孔内に挿入可能な大きさの挿入部６、挿入部６から刃受部に受けられた刃２の延びる方向と略同じ方向へ延出する把持部７を有した本体８と、刃２の延びる方向と略直角方向に延出する第二保護部９、複数の第二保護部９を第一保護部４と対応するように支持する基部を有し、基部と複数の第二保護部９とで刃体３の他方の面を覆うと共に本体８に着脱可能に固定される刃止め体１１とを具備させる。【選択図】図１
2009005912.tif 000002
【特許請求の範囲】
【請求項１】
人体の鼻孔内に挿入可能な大きさで一辺に刃を有した矩形板状の刃体と、
該刃体の前記刃が延びる方向に対して略直角方向へ延出し先端が該刃よりも突出する線条の第一保護部と、及び複数の該第一保護部を前記刃の延びる方向へ所定間隔で支持すると共に複数の前記第一保護部と協働して前記刃体の一方の面を受ける刃受部とを備え人体の鼻孔内に挿入可能な大きさとされた挿入部、及び該挿入部から前記刃受部に受けられた前記刃の延びる方向と略同じ方向へ延出する把持部を有した本体と、
該本体の前記第一保護部と同様の線条とされ前記刃の延びる方向に対して略直角方向に延出する第二保護部、及び複数の該第二保護部を前記第一保護部と対応するように支持する基部を有し、該基部と複数の前記第二保護部とで前記刃体の他方の面を覆うと共に前記本体に着脱可能に固定される刃止め体と
を具備することを特徴とする鼻毛処理具。
【請求項２】
隣接する前記第一保護部及び前記第二保護部同士の隙間が、前記第一保護部における前記刃から突出する突出量に対して、０．５倍〜２倍の範囲内とされていることを特徴とする請求項１に記載の鼻毛処理具。
【発明の詳細な説明】
【技術分野】
【０００１】
本発明は、鼻毛を処理する鼻毛処理具に関するものである。
【背景技術】
【０００２】
従来より、人体の鼻孔内に生えている鼻毛を処理する鼻毛処理具として鼻毛切り用鋏が知られている。この鼻毛切り用鋏は、鼻孔内に挿入しやすくするために、先端が先細りになっているとともに、全体の大きさが通常の鋏よりも小さくなっている。
【０００３】
また、本願出願人は先の出願において、鼻毛切り用鋏の先端に丸みを帯びた突出部を形成すると共に鋏の先端に切欠部を備え、鋏の先端が突き刺さったり、鋏を完全に閉じる際に鋏の先端で皮膚や粘膜等を挟んで傷つけたりするのを防止することができるようにしたものを提案している（特許文献１）。
【０００４】
【特許文献１】特開２００５−３０４６５５号公報
【発明の開示】
【発明が解決しようとする課題】
【０００５】
しかしながら、鼻毛処理具として鼻毛切り用鋏で鼻毛を処理する場合、狭い鼻孔内で鋏の先端を開閉しなければならず、鼻孔内で鋏が皮膚等に当接したり挟んだりしないように慎重に鼻毛の処理作業をする必要があると共に、鼻孔内で鋏を開けられる角度が限られているため一度の開閉で処理できる鼻毛の量が限られ、鼻毛を全部処理するのに相当な手間がかかる問題がある。
【０００６】
また、鼻毛切り用鋏の使用者自身が自分の鼻毛を処理する場合、鏡等を見ながら鋏の先端を鼻孔内へ挿入して鼻毛の処理をしなければならず、鏡等を介することで鼻孔内が見辛く誤って鋏の先端を皮膚等に突き刺してしまったり、皮膚等を挟んで傷つけてしまったりする可能性が高くなる問題がある。
【０００７】
ところで、鼻毛処理具として鋏ではなく剃刀を用いて鼻毛を処理することが考えられる。しかしながら、従来の剃刀は、髭や脇毛等の体毛を処理するためのものであり、鼻孔内に挿入できるような大きさではなく鼻毛を処理するのに用いることが困難である。仮に従来の剃刀を鼻孔内に挿入できる大きさとした場合、従来の剃刀では刃先の露出する割合が多いため、露出した刃先によって鼻孔内の皮膚等を傷つけてしまう虞がある。
【０００８】
そこで、本発明は上記の実情に鑑み、容易且つ安全に鼻毛を処理することができる鼻毛処理具の提供を課題とするものである。
【課題を解決するための手段】
【０００９】
上記の課題を解決するため、本願発明にかかる鼻毛処理具は「人体の鼻孔内に挿入可能な大きさで一辺に刃を有した矩形板状の刃体と、該刃体の前記刃が延びる方向に対して略直角方向へ延出し先端が該刃よりも突出する線条の第一保護部と、及び複数の該第一保護部を前記刃の延びる方向へ所定間隔で支持すると共に複数の前記第一保護部と協働して前記刃体の一方の面を受ける刃受部とを備え人体の鼻孔内に挿入可能な大きさとされた挿入部、及び該挿入部から前記刃受部に受けられた前記刃の延びる方向と略同じ方向へ延出する把持部を有した本体と、該本体の前記第一保護部と同様の線条とされ前記刃の延びる方向に対して略直角方向に延出する第二保護部、及び複数の該第二保護部を前記第一保護部と対応するように支持する基部を有し、該基部と複数の前記第二保護部とで前記刃体の他方の面を覆うと共に前記本体に着脱可能に固定される刃止め体とを具備する」ものである。
【００１０】
ここで、「人体の鼻孔内に挿入可能な大きさ」としては、刃の延びる方向に対して略直角方向に切断した際の挿入部の切断面が直径１２ｍｍの円に入る大きさである。
【００１１】
また、「複数の第一保護部を刃の延びる方向へ所定間隔で支持」するとは、複数の第一保護部によって櫛状に列設することである。また、「複数の第二保護部を第一保護部と対応するように支持」するとは、各第二保護部が各第一保護部と対峙するように支持することである。
【００１２】
従って、本発明の鼻毛処理具によると、本体の挿入部を人体の鼻孔内に挿入可能な大きさとしているため、挿入部を簡単に鼻孔内に挿入することができる。また、挿入部に備えられた複数の第一保護部の先端が刃よりも突出しているため、第一保護部が皮膚に当接することで刃が皮膚に当接するのを防止することができ、鼻毛を処理する際に皮膚等が傷つくのを防止して安全に鼻毛を処理することができる。
【００１３】
また、鼻毛を処理する際に、刃より突出した第一保護部の先端によって、鼻毛が刃の延びる方向へ滑って移動してしまうのを防止することができ、刃によって鼻毛を確実に切断して処理することができる。
【００１４】
更に、本体に対して刃止め体を固定することで、本体と刃止め体とで刃体を挟持して刃体を保持するようにしているため、刃止め体の着脱により刃体を容易に着脱することができ、刃体の交換や洗浄を簡単に行うことができる。また、本体に対して刃体及び刃止め体が着脱可能とされているため、それらを分解した状態で洗浄することで各部品の隅々まで洗い易くすることができ、鼻毛処理具をより綺麗に洗浄することができる。
【００１５】
上記の構成に加え、本発明の鼻毛処理具は「隣接する前記第一保護部及び前記第二保護部同士の隙間が、前記第一保護部における前記刃から突出する突出量に対して、０．５倍〜２倍の範囲内とされている」ものであってもよい。
【００１６】
ここで、第一保護部及び第二保護部同士の隙間を、第一保護部における刃から突出する突出量に対して、０．５倍〜２倍の範囲内としたのは、０．５倍よりも短いと、第一保護部同士等の隙間も狭くなり、蓋然的に刃の露出量が少なくなるため鼻毛を効率よく切断処理することができなくなる問題があるためである。また、２倍よりも長いと、第一保護部同士等の隙間が広くなり、第一保護部先端の刃より突出した部分を皮膚等に押し付けた場合、撓んだ皮膚等が刃と接触して皮膚等を傷つけてしまう虞があるためである。なお、刃から突出する第一保護部の先端の突出量としては、０．３ｍｍ〜１．５ｍｍの範囲内とすることが望ましく、０．３ｍｍよりも少ないと露出した刃の刃先が皮膚等に当接して傷つけてしまう虞があるためであり、１．５ｍｍよりも多いと皮膚と刃先との距離が大きくなり切断しようとする鼻毛が撓み易くなり、鼻毛を良好に処理することができなくなる虞があるためである。
【００１７】
従って、第一保護部及び第二保護部同士の隙間を上記の範囲内とすることで、多少強い力で挿入部を鼻孔内の皮膚等に押し当てても、挿入部の刃先が皮膚等と接触するのを確実に防止することができ、上記した作用効果を奏する鼻毛処理具を具現化することができる。
【発明の効果】
【００１８】
以上のように本発明によると、使用者が容易且つ安全に鼻毛を剃ることができる鼻毛処理具を提供することができる。
【発明を実施するための最良の形態】
【００１９】
以下、本発明を実施するための最良の形態である鼻毛処理具について、図１乃至図３に基づき説明する。図１は、本発明の鼻毛処理具を示す側面図である。図２（Ａ）は図１の鼻毛処理具を拡大して示す正面図であり、（Ｂ）は図１の鼻毛処理具の挿入部を拡大して示す側面図であり、（Ｃ）は（Ｂ）におけるア−ア断面図であり、（Ｄ）は（Ｂ）におけるイ−イ断面図である。図３は、図１の鼻毛処理具を分解して示す分解斜視図である。
【００２０】
本実施形態の鼻毛処理具１は、図示するように、人体の鼻孔内に挿入可能な大きさで一辺に刃２を有した矩形板状の刃体３と、刃体３の刃２が延びる方向に対して略直角方向へ延出し先端が刃２よりも突出する線条の第一保護部４と、及び複数の第一保護部４を刃２の延びる方向へ所定間隔で支持すると共に複数の第一保護部４と協働して刃体３の一方の面を受ける刃受部５とを備え人体の鼻孔内に挿入可能な大きさとされた挿入部６、及び挿入部６から刃受部５に受けられた刃２の延びる方向と略同じ方向へ延出する把持部７を有した本体８と、本体８の第一保護部４と同様の線条とされ刃２の延びる方向に対して略直角方向に延出する第二保護部９、及び複数の第二保護部９を第一保護部４と対応するように支持する基部１０を有し、基部１０と複数の第二保護部９とで刃体３の他方の面を覆うと共に本体８に着脱可能に固定される刃止め体１１とを備えている。
【００２１】
本実施形態の鼻毛処理具１における刃体３は、ステンレスや所定の硬度を有した刃金等の金属板により形成されており、図示するように、略矩形状に形成された一方の長辺（図２（Ｂ）中、下辺）に刃２が備えられている。また、この刃体３には、刃２とは反対側の長辺（図２（Ｂ）中、上辺）に形成された刃体３の先端側（図２（Ｂ）中、左端側）より後端側（図２（Ｂ）中、右端側）へ所定距離離れた位置から刃体３の後端まで続き刃２側へ所定量切り抜かれた切欠き部１２と、刃体３の先端付近に穿設された円形状の第一貫通孔１３と、第一貫通孔１３よりも後端側に穿設された非円形状の第二貫通孔１４とを更に備えている。
【００２２】
また、本体８の刃受部５では、図示するように、刃受部５を構成する複数の第一保護部４の先端が刃受部５の面よりも直角方向へ突出した形状とされていると共に、刃受部５に、複数の第一保護部４が延出する方向とは反対方向の端部（図２（Ｂ）中、上側の端部）に配置され刃体３の切欠き部１２と対応して刃受部５の面から突出する接触部１５が形成されている。そして、刃受部５は、複数の第一保護部４の先端と接触部１５とによって凹形状に形成されており、刃体３を受けることができるようになっている。
【００２３】
また、本体８の刃受部５には、刃体３の第一貫通孔１３及び第二貫通孔１４とを対応させる位置及び形状で刃受部５の面から突出する第一突出部１６及び第二突出部１７を更に備えている。そして、この刃受部５は、接触部１５に刃体３の切欠き部１２を係合させると共に、第一突出部１６及び第二突出部１７に刃体３の第一貫通孔１３及び第二貫通孔１４を嵌合させることで、刃体３を位置決めすることができるようになっている。また、本体８は、図２（Ｃ）に示すように、複数の第一保護部４の先端が丸みを帯びた形状に形成されており、皮膚等に当接させた際に刺さったり傷つけたりしないようになっている。
【００２４】
更に、本体８は、挿入部６の刃受部５とは反対側の側面（図２（Ｃ）中、左側面）に、上端から所定距離下側へ下がった位置まで、その側面から刃受部５へ向かって所定距離凹ませた段部１８と、段部１８の上端部付近に刃受部５とは反対側へ突出する凸部１９とを更に備えている。この凸部１９の側面は、図示するように、上側へ向かうに従って刃受部５側へ傾斜する傾斜面とされている。また、段部１８及び凸部１９は、刃受部５の長手方向全長に亘って延びるように形成されている。
【００２５】
また、本体８は、図１に示すように、把持部７の挿入部６と接近する側に配置され、左右方向（図１中、左右方向）に延びると共に上下方向（図１中、上下方向）に所定間隔で列設された複数の突条２０と、把持部７の右端付近（図１中、右端付近）に穿設された長孔状の貫通部２１とを更に備えている。複数の突条２０は、把持部７の両側面に備えられている。本例の鼻毛処理具１は、複数の突条２０によって把持部７を把持する際に滑り難いようにしていると共に、貫通部２１によって保管等の際に係止できるようになっている。
【００２６】
刃止め体１１は、図示するように、本体８の刃受部５よりも長さが長く形成されていると共に、上端と先端が刃受部５よりも刃受部５の反対側（図２（Ｃ）中、左側）へ回り込むように形成されている。この刃止め体１１には、挿入部６の段部１８及び凸部１９が嵌合可能とされた第一溝部２２と、刃受部５と対向する面に刃受部５から突出する第一突出部１６及び第二突出部１７を収容可能な第二溝部２３とを更に備えている。これら第一溝部２２及び第二溝部２３は、刃止め体１１の後端（図２（Ｂ）中、右端）から先端（図２（Ｂ）中、左端）へ向かって本体８の刃受部５と略同じ長さで延びるように形成されている。
【００２７】
なお、刃止め体１１の第二溝部２３は、鼻毛処理具１を組立てた際にその底部が、第一突出部１６及び第二突出部１７の先端と略接触するような深さとされている。また、第二溝部２３には、第一突出部１６と対応する位置付近に底部より若干突出するように形成された段差部２４と、段差部２４の第一突出部１６と対応する位置に第一突出部１６が挿入可能な孔溝部２５とを備えている（図３参照）。
【００２８】
因みに、本実施形態における鼻毛処理具１の各寸法は、全長Ｌが約１０５ｍｍとされており、挿入部６の長さＬ１が約２５ｍｍ、挿入部６の高さＨが約９ｍｍ、挿入部６の厚さＷが約３ｍｍとされており、挿入部６が一般的な鼻孔内に挿入可能な大きさとされている。また、第一保護部４の先端における刃２から突出する突出量ｔが約０．６ｍｍ、刃２の露出する長さ（第一保護部４同士の隙間）ｓが約１ｍｍ、第一保護部４の延びる長さｌが約３ｍｍ、第一保護部４及び第二保護部９の幅ｗが約１．５ｍｍとされている。
【００２９】
次に、本実施形態における鼻毛処理具１の組立方法について説明する。図３に示すように、まず、本体８の刃受部５に対して、その第一突出部１６及び第二突出部１７と対応するように刃体３の第一貫通孔１３及び第二貫通孔１４を向け、刃受部５に刃体３を嵌め込む。この際に、刃受部５の接触部１５が刃体３の切欠き部１２と接触すると共に、刃受部５の第一突出部１６及び第二突出部１７と刃体３の第一貫通孔１３及び第二貫通孔１４とが互いに嵌合し、刃体３が刃受部５の所定位置に位置決めされる。続いて、図３に示すように、本体８の先端側に対して、刃止め体１１をその後端が本体８の先端側へ向くように配置した上で、刃止め体１１の第一溝部２２内に本体８の段部１８及び凸部１９を嵌め合わせて、刃止め体１１を本体８の後端方向へスライドさせる。
【００３０】
そして、刃止め体１１が本体８の後端方向へ移動するのに伴って、本体８における刃受部５の第一突出部１６及び第二突出部１７が、第二溝部２３内へと嵌合挿入される。その後、第一突出部１６が第二溝部２３の段差部２４と当接すると、ここで一旦スライド移動が規制されるため、より強い力で刃止め体１１をスライドさせると、第一突出部１６が段差部２４を乗り越えて孔溝部２５と嵌合し、刃止め体１１が本体８の挿入部６に固定されると共に、刃止め体１１と刃受部５とで刃体３が挟持された状態となり、鼻毛処理具１の組立が完了する。なお、本例の鼻毛処理具１を分解する際は、上記とは逆の手順を行うことで、分解することができるようになっている。
【００３１】
次に、本実施形態の鼻毛処理具１の使用方法について説明する。まず、鼻毛処理具１における挿入部６の第一保護部４同士の間から覗く刃２が、処理したい鼻毛の方向へ向くように、挿入部６を鼻孔内へ挿入した上で、第一保護部４の先端を鼻孔内の皮膚（粘膜）に当接させる。この時、刃２に対して第一突出部４の先端が所定の突出量ｔだけ突出しているので、刃２が皮膚に接触しないようになっている。そして、挿入部６の刃２によって鼻毛が処理できる（剃れる）ように鼻孔内で挿入部６を移動させることで、刃２により鼻毛が切断されることとなり鼻毛を処理することができる。
【００３２】
このように、本実施形態の鼻毛処理具１では、挿入部６を鼻孔内へ挿入可能な大きさとした上で、挿入部６に備えられた複数の第一保護部４の先端が刃２よりも突出しているため、刃２よりも先に第一保護部４が皮膚当接し、刃２が皮膚に当接するのを防止することができ、鼻毛を処理する際に皮膚等が傷つくのを防止して安全に鼻毛を処理することができる。
【００３３】
また、鼻毛を処理する際に、刃２より突出した第一保護部４の先端によって、鼻毛が刃２の延びる方向へ滑って移動してしまうのを防止することができ、刃２によって鼻毛を容易に処理することができる。
【００３４】
更に、本体８に対して刃体３及び刃止め体１１を着脱可能に固定しているため、刃止め体１１の着脱により刃体３を容易に着脱することができ、刃体３の交換や洗浄を簡単に行うことができる。また、本体８に対して刃体３及び刃止め体１１が着脱可能とされているため、それらを分解した状態で洗浄することで各部品の隅々まで洗い易くすることができ、鼻毛処理具１をより綺麗に洗浄することができる。
【００３５】
また、本実施形態では、第一保護部４の突出量ｔを約０．６ｍｍとすると共に、刃２の露出長さ（第一保護部４同士の隙間）ｓを約１ｍｍとし、突出量ｔに対して隙間ｓを０．５倍〜２倍の範囲内（本例では、約１．７倍）としているため、挿入部６を多少強く鼻孔内の皮膚に当接させても、刃２が皮膚と接触するのを確実に防止することができる。
【００３６】
以上、本発明について好適な実施形態を挙げて説明した。しかし、本発明はこの実施形態に限定されるものではない。以下に示すように、本発明の要旨を逸脱しない範囲において、種々の改良及び設計の変更が可能である。
【００３７】
上記実施形態の鼻毛処理具１では、挿入部６の大きさとして、高さＨが約９ｍｍ、厚さＷが約３ｍｍのものを示したが、この寸法に限定するものではなく、例えば、挿入部６の高さＨ及び厚さＷが直径約１２ｍｍの円に入る大きさとしても良く、これにより上記と同様の作用効果を得ることができる。
【００３８】
また、上記実施形態の鼻毛処理具１では、第一保護部４における突出量ｔを約０．６ｍｍ、第一保護部４同士の隙間ｓを約１ｍｍとしたものを示したが、この寸法に限定するものではなく、例えば、突出量ｔを０．３ｍｍ〜１．５ｍｍの範囲とした上で第一保護部４同士の隙間ｓを突出量ｔに対して０．５倍〜２倍の範囲としても良い。ここで、第一保護部同士の隙間ｓを、突出量ｔに対して、０．５倍〜２倍の範囲内としたのは、０．５倍よりも短いと、第一保護部４同士の隙間ｓも狭くなり、蓋然的に刃２の露出量が少なくなるため鼻毛を効率よく切断処理することができなくなる問題があるためである。また、２倍よりも長いと、第一保護部４同士の隙間ｓが広くなり、第一保護部４先端の刃２より突出した部分を皮膚等に押し付けた場合、撓んだ皮膚等が刃２と接触して皮膚等を傷つけてしまう虞があるためである。なお、刃２から突出する第一保護部４の先端の突出量ｔとしては、０．３ｍｍ〜１．５ｍｍの範囲内とすることが望ましく、０．３ｍｍよりも少ないと露出した刃２の刃先が皮膚等に当接して傷つけてしまう虞があるためであり、１．５ｍｍよりも多いと皮膚と刃先との距離が大きくなり切断しようとする鼻毛が撓み易くなり、鼻毛を良好に処理することができなくなる虞があるためである。
【００３９】
更に、上記実施形態の鼻毛処理具１では、本体８に対して、刃止め体１１を嵌合固定させるようにしたものを示したが、これに限定するものではなく、例えば、刃止め体１１を本体８に対して、小ネジ等の留具を用いて固定するようにしても良く、これにより、上記と同様の作用効果を奏することができる。
【００４０】
また、上記実施形態の鼻毛処理具１では、刃体３として一方の長辺に刃２を備えたものを示したが、これに限定するものではなく、刃体を両刃とすると共に、刃受部に対して何れの向きでも刃体を受けられるようにしても良く、これにより、一方の刃の切れ味が悪くなった場合、刃の向きを替えて他方の刃を使うようにすることができ、長期に亘って良好な状態で使用することができる。また、上記実施形態の鼻毛処理具１では、挿入部６の一方側に第一保護部４を備えたものを示したが、これに限定するものではなく、例えば、刃体を両刃とすると共に、挿入部の両側に夫々第一保護部を備えるようにしても良く、これにより、挿入部の何れの側でも鼻毛を処理することができるものとしたり、第一保護部の突出量を両側で異ならせるようにして剃り具合に応じて使い分けできるものとしたりすることができる。
【図面の簡単な説明】
【００４１】
【図１】本発明の一実施形態である鼻毛処理具を示す側面図である。
【図２】（Ａ）は図１の鼻毛処理具を拡大して示す正面図であり、（Ｂ）は図１の鼻毛処理具の挿入部を拡大して示す側面図であり、（Ｃ）は（Ｂ）におけるア−ア断面図であり、（Ｄ）は（Ｂ）におけるイ−イ断面図である。
【図３】本発明の一実施形態である鼻毛処理具を分解して示す分解斜視図である。
【符号の説明】
【００４２】
１    鼻毛処理具
２    刃
３    刃体
４    第一保護部
５    刃受部
６    挿入部
７    把持部
８    本体
９    第二保護部
１０  基部
１１  刃止め体
【図１】
2009005912.tif 000003
【図２】
2009005912.tif 000004
【図３】
2009005912.tif 000005